(57)【特許請求の範囲】
【請求項１】
眼鏡フレームと協働して使用者の頭部に装着されるウェアラブル機器用支持部材であって、
前記使用者の頭部に当接される頭部当接部と、
前記頭部当接部が配置される側と反対側において、前記眼鏡フレームのテンプル部が当接されるテンプル当接部と、
前記テンプル当接部側に設けられたウェアラブル機器の機器接続部と、を備え、
前記テンプル当接部は、前記テンプル部の頭部側側面が当接する第１当接面を有する、ことを特徴とするウェアラブル機器用支持部材。
【請求項２】
前記テンプル当接部は、更に、前記テンプル部の上面が当接可能な第２当接面を有する、ことを特徴とする請求項１に記載のウェアラブル機器用支持部材。
【請求項３】
前記テンプル当接部及び前記機器接続部は、前記使用者の頭部への装着状態において、前記使用者の耳周辺部に位置する、ことを特徴とする請求項１または２に記載のウェアラブル機器用支持部材。
【請求項４】
前記頭部当接部は、前記使用者の頭部形状に沿った湾曲形状を有する、ことを特徴とする請求項１〜３のいずれか一項に記載のウェアラブル機器用支持部材。
【請求項５】
前記使用者の頭部への装着状態の上面視において、前記機器接続部と前記頭部当接部との間の左右方向の寸法が、前方側に比べ後方側が大きい、ことを特徴とする請求項１〜４のいずれか一項に記載のウェアラブル機器用支持部材。
【請求項６】
前記頭部当接部は、前記耳周辺部の前方側に位置する前方頭部当接部を有する、ことを特徴とする請求項３〜５のいずれか一項に記載のウェアラブル機器用支持部材。
【請求項７】
前記頭部当接部は、前記耳周辺部の後方側に位置する後方頭部当接部を有する、ことを特徴とする請求項３〜６のいずれか一項に記載のウェアラブル機器用支持部材。
【請求項８】
前記頭部当接部及び前記テンプル当接部の少なくとも一部は、透明樹脂からなる、ことを特徴とする請求項１〜７のいずれか一項に記載のウェアラブル機器用支持部材。
【請求項９】
前記頭部当接部の表面は、前記テンプル当接部に対して摩擦係数を高める表面処理が施されている、ことを特徴とする請求項１〜８のいずれか一項に記載のウェアラブル機器用支持部材。
【請求項１０】
前記頭部当接部は、少なくとも一部が可撓性を有する材質で構成されている、ことを特
徴とする請求項１〜９のいずれか一項に記載のウェアラブル機器用支持部材。
【請求項１１】
前記機器接続部は、前記ウェアラブル機器を前記テンプル部の延在方向に対して、前下がりに傾斜して前記テンプル部と交差するように接続するよう構成されている、ことを特徴とする請求項１〜１０のいずれか一項に記載のウェアラブル機器用支持部材。
【請求項１２】
前記機器接続部は、前記ウェアラブル機器をスライド可能に接続するスライド接続部を有する、ことを特徴とする請求項１〜１１のいずれか一項に記載のウェアラブル機器用支持部材。
【請求項１３】
前記スライド接続部は、前記ウェアラブル機器を前記テンプル部の延在方向に沿って前後にスライド可能に接続する、ことを特徴とする請求項１２に記載のウェアラブル機器用
支持部材。
【請求項１４】
前記スライド接続部は、前記ウェアラブル機器を前記テンプル部の延在方向に対して、前下がりに傾斜する方向にスライド可能に接続する、ことを特徴とする請求項１２に記載のウェアラブル機器用支持部材。
【請求項１５】
更に、前記ウェアラブル機器用のバッテリを収容するバッテリ収容部を有し、
前記機器接続部には、前記バッテリ収容部に収容される前記バッテリから前記ウェアラブル機器に電力を給電するための給電部が設けられている、ことを特徴とする請求項１〜１４のいずれか一項に記載のウェアラブル機器用支持部材。
【請求項１６】
前記頭部当接部は、前記使用者の頭部への装着状態において、耳の上側部分及び両側部分に亘って延在し、
当該頭部当接部、前記機器接続部、前記テンプル当接部が、前記使用者の両側の耳周辺部に左右反転して選択的に装着可能に、前記耳の中心を通る線分に関して前後方向にほぼ線対称形状からなる、ことを特徴とする請求項１に記載のウェアラブル機器用支持部材。
【請求項１７】
前記頭部当接部及び前記テンプル当接部は、互いに前記テンプル当接部及び前記頭部当接部としても機能するものであり、前記使用者の両側の耳周辺部に前後を固定して選択的に装着可能に、前記頭部当接部及び前記テンプル当接部の両側に前記機器接続部が設けられている、ことを特徴とする請求項１〜１５のいずれか一項に記載のウェアラブル機器用支持部材。
【請求項１８】
眼鏡フレームと協働して使用者の頭部に装着される頭部装着型ウェアラブル装置であって、
請求項１〜１７のいずれか一項に記載のウェアラブル機器用支持部材と、
前記ウェアラブル機器用支持部材の前記機器接続部に固定又は着脱可能に接続されたウェアラブル機器と、
を備えることを特徴とする頭部装着型ウェアラブル装置。
【請求項１９】
前記ウェアラブル機器は、映像表示装置からなる、ことを特徴とする請求項１８に記載の頭部装着型ウェアラブル装置。
【発明の詳細な説明】
【技術分野】
【０００１】
本発明は、ウェアラブル機器を眼鏡フレームに装着するための支持部材、及び該支持部材を備える頭部装着型ウェアラブル装置に関するものである。
【背景技術】
【０００２】
近年、頭部装着型表示装置等のウェアラブル機器を、頭部に装着可能な眼鏡フレームに取り付けて利用することが知られている。例えば、特許文献１には、クリップを用いてウェアラブル機器を眼鏡フレームに取り付けるようにしたものが開示されている。また、特許文献２、３には、アタッチメントを有する部材を眼鏡フレームにネジ止めして、ウェアラブル機器をアタッチメントに着脱自在に取り付けるようにしたものが開示されている。
【先行技術文献】
【特許文献】
【０００３】
【特許文献１】特開２００８−２４４６５８号公報
【特許文献２】特開２０１０−９１７４８号公報
【特許文献３】特開２００１−５２２０６４号公報
【発明の概要】
【発明が解決しようとする課題】
【０００４】
しかしながら、特許文献１に開示のものは、クリップを用いてウェアラブル機器を眼鏡フレームに取り付けるため、クリップに強いばね力が要求され、使用者によっては着脱しにくい場合がある。また、ウェアラブル機器の装着中に、クリップが目立つため、外観上も好ましくない。
【０００５】
特許文献２、３に開示のものは、アタッチメントを有する部材を眼鏡フレームに対してネジにより固定するため、眼鏡フレーム対する着脱が煩雑となる。
【０００６】
かかる観点に鑑みてなされた本発明の目的は、眼鏡フレームに対して容易に着脱可能で、装着状態での外観も損なわないウェアラブル機器用支持部材及び頭部装着型ウェアラブル装置を提供することにある。
【課題を解決するための手段】
【０００７】
上記目的を達成する本発明に係るウェアラブル機器用支持部材の要旨構成は以下の通りである。
（１）眼鏡フレームと協働して使用者の頭部に装着されるウェアラブル機器用支持部材であって、
前記使用者の頭部に当接される頭部当接部と、
前記頭部当接部が配置される側と反対側において、前記眼鏡フレームのテンプル部が当接されるテンプル当接部と、
前記テンプル当接部側に設けられたウェアラブル機器の機器接続部と、を備え、
前記テンプル当接部は、前記テンプル部の頭部側側面が当接する第１当接面を有する、ことを特徴とするものである。
【０００８】
（２）上記（１）に記載のウェアラブル機器用支持部材において、
前記テンプル当接部は、更に、前記テンプル部の上面が当接可能な第２当接面を有する、ことを特徴とするものである。
【０００９】
（３）上記（１）又は（２）に記載のウェアラブル機器用支持部材において、
前記テンプル当接部及び前記機器接続部は、前記使用者の頭部への装着状態において、前記使用者の耳周辺部に位置する、ことを特徴とするものである。
【００１０】
（４）上記（１）〜（３）のいずれか一項に記載のウェアラブル機器用支持部材において、
前記頭部当接部は、前記使用者の頭部形状に沿った湾曲形状を有する、ことを特徴とするものである。
【００１１】
（５）上記（１）〜（４）のいずれか一項に記載のウェアラブル機器用支持部材において、
前記使用者の頭部への装着状態の上面視において、前記機器接続部と前記頭部当接部との間の左右方向の寸法が、前方側に比べ後方側が大きい、ことを特徴とするものである。
【００１２】
（６）上記（３）〜（５）のいずれか一項に記載のウェアラブル機器用支持部材において、
前記頭部当接部は、前記耳周辺部の前方側に位置する前方頭部当接部を有する、ことを特徴とするものである。
【００１３】
（７）上記（３）〜（６）のいずれか一項に記載のウェアラブル機器用支持部材において、
前記頭部当接部は、前記耳周辺部の後方側に位置する後方頭部当接部を有する、ことを特徴とするものである。
【００１４】
（８）上記（１）〜（７）のいずれか一項に記載のウェアラブル機器用支持部材において、
前記頭部当接部及び前記テンプル当接部の少なくとも一部は、透明樹脂からなる、ことを特徴とするものである。
【００１５】
（９）上記（１）〜（８）のいずれか一項に記載のウェアラブル機器用支持部材において、
前記頭部当接部の表面は、前記テンプル当接部に対して摩擦係数を高める表面処理が施されている、ことを特徴とするものである。
【００１６】
（１０）上記（１）〜（９）のいずれか一項に記載のウェアラブル機器用支持部材において、
前記頭部当接部は、少なくとも一部が可撓性を有する材質で構成されている、ことを特徴とするものである。
【００１７】
（１１）上記（１）〜（１０）のいずれか一項に記載のウェアラブル機器用支持部材において、
前記機器接続部は、前記ウェアラブル機器を前記テンプル部の延在方向に対して、前下がりに傾斜して前記テンプル部と交差するように接続するよう構成されている、ことを特徴とするものである。
【００１８】
（１２）上記（１）〜（１１）のいずれか一項に記載のウェアラブル機器用支持部材において、
前記機器接続部は、前記ウェアラブル機器をスライド可能に接続するスライド接続部を有する、ことを特徴とするものである。
【００１９】
（１３）上記（１２）に記載のウェアラブル機器用支持部材において、
前記スライド接続部は、前記ウェアラブル機器を前記テンプル部の延在方向に沿って前後にスライド可能に接続する、ことを特徴とするものである。
【００２０】
（１４）上記（１２）に記載のウェアラブル機器用支持部材において、
前記スライド接続部は、前記ウェアラブル機器を前記テンプル部の延在方向に対して、前下がりに傾斜する方向にスライド可能に接続する、ことを特徴とするものである。
【００２１】
（１５）上記（１）〜（１４）のいずれか一項に記載のウェアラブル機器用支持部材において、
更に、前記ウェアラブル機器用のバッテリを収容するバッテリ収容部を有し、
前記機器接続部には、前記バッテリ収容部に収容される前記バッテリから前記ウェアラブル機器に電力を給電するための給電部が設けられている、ことを特徴とするものである。
【００２２】
（１６）上記（１）に記載のウェアラブル機器用支持部材において、
前記頭部当接部は、前記使用者の頭部への装着状態において、耳の上側部分及び両側部分に亘って延在し、
当該頭部当接部、前記機器接続部、前記テンプル当接部が、前記使用者の両側の耳周辺部に左右反転して選択的に装着可能に、前記耳の中心を通る線分に関して前後方向にほぼ線対称形状からなる、ことを特徴とするものである。
【００２３】
（１７）上記（１）〜（１５）のいずれか一項に記載のウェアラブル機器用支持部材において、
前記頭部当接部及び前記テンプル当接部は、互いに前記テンプル当接部及び前記頭部当接部としても機能するものであり、前記使用者の両側の耳周辺部に前後を固定して選択的に装着可能に、前記頭部当接部及び前記テンプル当接部の両側に前記機器接続部が設けられている、ことを特徴とするものである。
【００２４】
更に、上記目的を達成する本発明に係る頭部装着型ウェアラブル装置の要旨構成は以下の通りである。
（１８）眼鏡フレームと協働して使用者の頭部に装着される頭部装着型ウェアラブル装置であって、
上記（１）〜（１７）のいずれか一項に記載のウェアラブル機器用支持部材と、
前記ウェアラブル機器用支持部材の前記機器接続部に固定又は着脱可能に接続されたウェアラブル機器と、
を備えることを特徴とするものである。
【００２５】
（１９）上記（１８）に記載の頭部装着型ウェアラブル装置において、
前記ウェアラブル機器は、映像表示装置からなる、ことを特徴とするものである。
【発明の効果】
【００２６】
本発明によれば、眼鏡フレームに対して容易に着脱可能で、装着状態での外観も損なわないウェアラブル機器用支持部材及び頭部装着型ウェアラブル装置を提供することができる。
【図面の簡単な説明】
【００２７】
【図１】本発明の第１実施の形態に係る支持部材を示す図である。
【図２】図１の支持部材を備えるウェアラブル装置を示す図である。
【図３】図２のウェアラブル装置の頭部への装着状態を斜め後方から見た斜視図である。
【図４】図２のウェアラブル装置の頭部への装着状態を後方から見た図である。
【図５】図２のウェアラブル装置の頭部への装着状態を左側から見た一部省略側面図である。
【図６】本発明の第２実施の形態に係る支持部材を備えるウェアラブル装置を示す斜視図である。
【図７】本発明の第３実施の形態に係る支持部材を備えるウェアラブル装置を示す部分側面図である。
【図８】本発明の第４実施の形態に係る支持部材を示す図である。
【図９】第４実施の形態に係る支持部材の一変形例を示す部分斜視図である。
【図１０】第４実施の形態に係る支持部材の他の変形例を示す部分斜視図である。
【図１１】本発明の第５実施の形態に係る支持部材を示す図である。
【図１２】第５実施の形態に係る支持部材に接続される映像表示装置側の電極部の構成を示す図である。
【図１３】第５実施の形態に係る支持部材の一変形例を示す図である。
【図１４】本発明の第６実施の形態に係る支持部材を示す図である。
【図１５】第６実施の形態に係る支持部材の使用態様を説明するための図である。
【図１６】本発明の第７実施の形態に係る支持部材を示す図である。
【図１７】第７実施の形態に係る支持部材の使用態様を説明するための図である。
【発明を実施するための形態】
【００２８】
以下、本発明の実施の形態について、図を参照して説明する。なお、以下の説明において、ウェアラブル機器用支持部材を、適宜、支持部材と略記し、頭部装着型ウェアラブル装置を、適宜、ウェアラブル装置と略記する。
【００２９】
（第１実施の形態）
図１は、本発明の第１実施の形態に係る支持部材を示すものである。本実施の形態に係る支持部材１０は、眼鏡フレームと協働して使用者の一方の耳周辺部の頭部（側頭部）に装着されるもので、頭部当接部２０、テンプル当接部３０及び機器接続部４０を備える。ここで、「耳周辺部」とは、耳の上、後ろ、前等、耳に隣接する部分であれば位置を問わない。なお、図１は、右耳用の支持部材１０を示すもので、図１（ａ）は、頭部への装着状態において使用者と対面する側を正面とした場合の平面図、図１（ｂ）は背面図、図１（ｃ）は左側面図である。
【００３０】
頭部当接部２０は、支持部材１０の使用者への装着状態において、使用者の右耳周辺部の頭部（側頭部）に当接するもので、右耳周辺部の上側部分に位置する上方頭部当接部２１Ｕと、前方側に位置する前方頭部当接部２１Ｆと、後方側に位置する後方頭部当接部２１Ｂとを有し、全体が頭部形状に沿った湾曲形状を有している。本実施の形態では、前方頭部当接部２１Ｆよりも後方頭部当接部２１Ｂの方が長くなっている。
【００３１】
テンプル当接部３０は、頭部当接部２０が配置される側と反対側に形成され、眼鏡フレームのテンプル部の頭部側側面（内側面）が当接する第１当接面３１を有する。また、本実施の形態では、更に、テンプル部の上面が当接可能な第２当接面３２を有する。
【００３２】
機器接続部４０は、映像表示装置や撮像装置等のウェアラブル機器を接続するもので、支持部材１０の装着状態において、耳周辺部の上側に位置するようにテンプル当接部３０側に設けられる。また、支持部材１０の装着状態の上面視（図１（ａ）参照）において、機器接続部４０と頭部当接部２０との間の左右方向の寸法は、前方側に比べ後方側が長くなっている。
【００３３】
支持部材１０は、頭部当接部２０の少なくとも一部が、例えばエラストマ等の可撓性を有する樹脂から形成される。本実施の形態では、支持部材１０の全体が可撓性を有する樹脂で形成されている。なお、機器接続部４０は、頭部当接部２０及びテンプル当接部３０よりも剛性を有する樹脂で形成されてもよい。さらに、頭部当接部２０及びテンプル当接部３０の少なくとも一部は、透明樹脂で形成される。また、頭部当接部２０の表面は、テンプル当接部３０に対して摩擦係数を高める梨地処理等の表面処理が施される。
【００３４】
図２は、第１実施の形態に係る支持部材１０を備えるウェアラブル装置を示すものである。このウェアラブル装置１００は、ウェアラブル機器としての映像表示装置１１０を、支持部材１０の機器接続部４０に固定的又は着脱自在に接続して構成されるものである。なお、図２（ａ）及び（ｂ）は、図１（ａ）及び（ｂ）と同様、頭部への装着状態において、使用者と対面する側を正面とした場合の平面図及び正面図を示し、図２（ｃ）は斜視図を示している。
【００３５】
映像表示装置１１０は、電源回路や駆動回路等を内蔵する本体部１２０と、液晶表示デバイス等の表示デバイス及びその表示画像を使用者の眼球に投影して拡大虚像を形成する投影光学系を内蔵する表示光学系部１３０と、本体部１２０と表示光学系部１３０とを連結する連結部１４０とを備えている。
【００３６】
以下、上述した支持部材１０及びウェアラブル装置１００の作用効果について、図３〜図５を参照して説明する。なお、図３は、ウェアラブル装置１００の頭部への装着状態を斜め後方から見た斜視図であり、図４は、後方から見た図であり、図５は、一部省略して示す左側面図である。
【００３７】
支持部材１０は、使用者３００が眼鏡フレーム２００を掛けている状態で、あるいは、眼鏡フレーム２００を掛ける動作に連係して、頭部当接部２０及びテンプル当接部３０が、使用者３００の頭部３１０と眼鏡フレーム２００のテンプル部２１０Ｒとの間で、耳３２０Ｒの周辺部に挿入されて、頭部３１０に装着される。あるいは、映像表示装置１１０が接続されたウェアラブル装置１００として、支持部材１０が、同様にして頭部３１０に装着される。
【００３８】
本実施の形態においては、支持部材１０の装着状態において、耳３２０Ｒの付け根部分の上側に頭部当接部２０の上方頭部当接部２１Ｕが位置し、前方側に前方頭部当接部２１Ｆが位置し、後方側に後方頭部当接部２１Ｂが位置するように、支持部材１０が装着される。また、支持部材１０の装着状態において、映像表示装置１１０は、テンプル部２１０Ｒに沿ってほぼ平行に延在するように、機器接続部４０に接続される。
【００３９】
本実施の形態によると、テンプル当接部３０の第１当接面３１に、テンプル部２１０Ｒの頭部側側面（内側面）が当接することにより、頭部当接部２０及びテンプル当接部３０は、テンプル部２１０Ｒにより外側から内側方向(使用者の頭部方向)へ押圧される。これにより、支持部材１０は、頭部３１０とテンプル部２１０Ｒとの間に挟まれた状態で固定される。なお、支持部材１０を単独で装着した場合は、装着後に映像表示装置１１０が機器接続部４０に接続される。
【００４０】
また、支持部材１０あるいはウェアラブル装置１００を頭部３１０から取り外す場合は、支持部材１０を、頭部３１０とテンプル部２１０Ｒとの間から抜き出すことにより、頭部３１０から取り外すことができる。したがって、従来のように眼鏡フレーム２００にクリップ止めやネジ止めする必要がないので、眼鏡フレーム２００に対して容易に着脱可能で、装着状態での外観を損なうこともない。
【００４１】
また、支持部材１０は、頭部３１０とテンプル部２１０Ｒとの間に挟持されるので、左右への平行移動や、左右への回動（ヨーイング）が防止される。さらに、テンプル部２１０Ｒの上面がテンプル当接部３０の第２当接面３２に当接するように支持部材１０を挿入すれば、支持部材１０の重量及び映像表示装置１００の重量によって、支持部材１０をテンプル部２１０Ｒの上面に上方から押さえ付けることができる。これにより、上下方向の傾き（ピッチング）やローリングを防止でき、より安定して固定することができる。
【００４２】
また、頭部当接部２０は、全体が頭部形状に沿った湾曲形状をしているので、頭部３１０との接触面積を大きくできる。これにより、装着状態をより安定して維持することが可能となる。
【００４３】
さらに、機器接続部４０は、支持部材１０の装着状態における左右方向において、頭部当接部２０からの寸法が、前方側に比べ後方側が大きくなっている。つまり、支持部材１０は、使用者３００の耳３２０Ｒの上部のスペースが、前方側よりも後方側の方が広くなっていることに対応した形状となっている。これにより、頭部当接部２０を、より頭部３１０に沿った形状とすることができる。その結果、頭部３１０との接触面積を増加でき、支持部材１０及びウェアラブル装置１００の装着状態を、不所望な位置ズレを発生させることなく、より安定して維持することが可能となる。
【００４４】
また、頭部当接部２０は、支持部材１０の使用者３００への装着状態において、使用者３００の耳３２０Ｒの前方側に位置する前方頭部当接部２１Ｆ及び後方側に位置する後方頭部当接部２１Ｂを有している。これにより、支持部材１０の後方側に不所望な力が作用した場合に、前方頭部当接部２１Ｆにより支持部材１０が変移しないように支えることができ、逆に、支持部材１０の前方側に不所望な力が作用した場合に、後方頭部当接部２１Ｂにより支持部材１０が変移しないように支えることができる。したがって、支持部材１０及びウェアラブル装置１００の装着状態を、より安定して維持することが可能となる。
【００４５】
また、頭部当接部２０及びテンプル当接部３０の少なくとも一部が透明樹脂で形成されているので、透明部分が目立たず、その結果、外観が損なわれるのを極力防止することができる。さらに、頭部当接部２０の表面が、表面処理によって、テンプル当接部３０よりも高い摩擦係数を有するので、頭部３１０との当接状態を有効に維持することができる。これにより、支持部材１０及びウェアラブル装置１００の装着状態を、位置ズレを生じることなく、より安定して維持することが可能となる。
【００４６】
また、支持部材１０は、エラストマ等の可撓性を有する樹脂から形成されているので、頭部当接部２０を頭部３１０の形状に合わせて当接することができる。これにより、装着性を向上できるとともに、頭部３１０に対する接触面積を最大限確保して、支持部材１０及びウェアラブル装置１００の装着状態を、より安定して維持することが可能となる。また、支持部材１０を樹脂で形成することにより、全体の軽量化が図れる利点もある。
【００４７】
（第２実施の形態）
図６は、本発明の第２実施の形態に係る支持部材を備えるウェアラブル装置を示す斜視図である。このウェアラブル装置１０１は、支持部材１１の構成が第１実施の形態に係る支持部材１０と異なるものである。すなわち、本実施の形態に係る支持部材１１は、第１実施の形態の支持部材１０において、頭部装着部２０の後方頭部当接部２１Ｂを、可撓性ワイヤ部材２２Ｂにより、耳の付け根形状に合わせるように円弧状に形成したものである。その他の構成は、第１実施の形態の場合と同様であるので、同一構成要素には同一参照符号を付して説明を省略する。
【００４８】
このように、頭部装着部２０の後方頭部当接部を、耳の付け根形状に合わせるように可撓性ワイヤ部材２２Ｂにより円弧状に形成することで、支持部材１１及びウェアラブル装置１０１をより安定して使用者の頭部に装着することが可能となる。なお、本実施の形態の場合、頭部装着部２０の可撓性ワイヤ部材２２Ｂを除く部分を、非可撓性の材質で形成してもよい。この場合でも、可撓性ワイヤ部材２２Ｂが頭部に有効に当接するので、支持部材１１及びウェアラブル装置１０１を安定して使用者の頭部に装着することが可能となる。
【００４９】
（第３実施の形態）
図７は、本発明の第３実施の形態に係る支持部材を備えるウェアラブル装置を示す部分側面図である。このウェアラブル装置１０２は、第１実施の形態に示したウェアラブル装置１００において、頭部装着状態で、映像表示装置１１０がテンプル部２１０Ｒの延在方向に対して、テンプル部２１０Ｒと交差するように前下がりに傾斜するように、支持部材１０の機器接続部４０に接続したものである。そのため、機器接続部４０は、前下がりに傾斜して、つまり、耳に対して顔の方を前方としたときに、機器接続部４０の前方側が後方側に対して下がるように形成されている。その他の構成は、第１実施の形態の場合と同様であるので、同一構成要素には同一参照符号を付して説明を省略する。
【００５０】
このように構成すれば、映像表示装置１１０の表示光学系部１３０による拡大虚像の観察位置を、使用者の正面から下側の見易い位置とすることができるので、使用者が表示画像を違和感なく観察することが可能となる。なお、このような構成は、第２実施の形態に示したウェアラブル装置１０１にも、同様に適用することができる。
【００５１】
（第４実施の形態）
図８は、本発明の第４実施の形態に係る支持部材を示すものである。この支持部材１２は、第１実施の形態に示した支持部材１０において、映像表示装置１１０をテンプル部の延在方向に沿って前後にスライド可能に接続するものである。そのため、機器接続部４０には、凸状のスライド接続部４１が設けられている。また、映像表示装置１１０の本体部１２０には、スライド接続部４１が係合する凹状のスライド係合部１２１が、スライド方向に延在して設けられる。なお、図８（ａ）は、スライド係合部１２１をスライド接続部４１に係合させて、映像表示装置１１０をスライド可能に機器接続部４０に接続した状態を示している。図８（ｂ）は、スライド係合部１２１のスライド接続部４１への係合を解除して、映像表示装置１１０を機器接続部４０から取り外した状態を示している。
【００５２】
このように、映像表示装置１１０を、テンプル部の延在方向に沿って前後にスライド可能に機器接続部４０に接続するようにすれば、使用者の様々な頭部サイズに対応することができ、映像表示装置１１０による表示画像（観察画像）を使用者の好みの視野位置に移動する際に生じる前後方向の隙間を調整することができるので、使用者に見易い映像を提供することができる。
【００５３】
なお、図８では、スライド接続部４１を、断面がＴ字状の凸状としたが、スライド接続部４１は、図９に部分斜視図を示すように、円柱状に形成することもできる。この場合、映像表示装置１１０のスライド係合部１２１は、中空の円弧状に形成して、スライド接続部４１の端面側から軸方向に挿入して係合させるか、あるいは、スライド係合部１２１の弾性変形を利用して、スライド接続部４１の周面から押し込むように係合させて、映像表示装置１１０を支持部材１０の機器接続部４０に対してスライド可能に接続する。
【００５４】
このように、スライド接続部４１を円柱状に形成すれば、映像表示装置１１０を使用者の前後方向だけでなく、前後方向を軸として回動調整することが可能となる。これにより、使用者のより見易い位置、あるいは所望の位置に映像を表示することが可能となる。
【００５５】
また、映像表示装置１１０のスライド方向は、テンプル部に沿った前後方向に限らず、テンプル部の延在方向に対して前下がりに傾斜した前後方向とすることが可能である。この場合は、例えば、図１０に示すように、機器接続部４０のスライド接続部４１を前下がりに傾斜して形成すればよい。なお、図８〜図１０に示したような構成は、第２または３実施の形態に示した支持部材にも、同様に適用することができる。また、機器接続部４０のスライド接続部４１と、映像表示装置１１０のスライド係合部１２１との凸凹の関係は、逆であってもよい。
【００５６】
（第５実施の形態）
図１１は、本発明の第５実施の形態に係る支持部材を示すものである。この支持部材１３は、第１実施の形態の支持部材１０において、テンプル当接部３０と機器接続部４０との間に、映像表示装置に使用可能なバッテリを収容するバッテリ収容部５０を有するものである。バッテリ収容部５０は、例えばバッテリを交換可能に収容するように構成される。なお、図１１（ａ）〜（ｃ）は、図１（ａ）〜（ｃ）と同様に、頭部への装着状態において、使用者と対面する側を正面とした場合の平面図、背面図、左側面図である。
【００５７】
また、機器接続部４０には、図１１（ｃ）に示すように、バッテリ収容部５０に収容されるバッテリからの電力を映像表示装置に給電するための給電部４２が設けられる。給電部４２には、正極部４２Ａおよび負極部４２Ｂが上下に離間して設けられる。この場合、図１２に示すように、映像表示装置１１０の本体部１２０には、機器接続部４０の給電部４２と接する正極部１２２Ａおよび負極部１２２Ｂを有する給電部１２２が設けられる。
【００５８】
このように、構成すれば、映像表示装置１１０にバッテリを装填する必要がなくなるので、映像表示装置１１０の小型化及び軽量化が図れる。また、支持部材１０にバッテリを搭載することにより、頭部装着状態で、バッテリが耳の付け根付近位置することになる。その結果、映像表示装置１１０バッテリが搭載される場合に比べて、映像表示装置１１０の重さによる傾き及び回転を防止することができる。また、映像表示装置１１０の小型化が図れることから、外観を損なうことを防止できる。
【００５９】
なお、バッテリ収容部５０は、図１３（ａ）〜（ｃ）に示すように、頭部当接部２０の後方頭部当接部２１Ｂとテンプル当接部３０との間に設けることもできる。この場合、バッテリ収容部５０に収容されるバッテリを、機器接続部４０に接続される映像表示装置１１０のカウンタバランスとしても機能させることができる。これにより、ウェアラブル装置１００の装着性を、より向上させることができる。
【００６０】
図１１及び図１３に示したような構成は、上述した他の実施の形態に示した支持部材にも、同様に適用することができる。ただし、第４実施の形態で説明したように、映像表示装置１１０をスライド可能に接続する場合は、少なくとも、機器接続部４０側の給電部４２は、映像表示装置１１０のスライド方向に延在して形成され、正極部４２Ａと負極部４２Ｂはスライド方向と垂直な方向に対向して配置される。
【００６１】
（第６実施の形態）
図１４は、本発明の第６実施の形態に係る支持部材を示すものである。この支持部材１４は、第１実施の形態に示した支持部材１０を左右兼用としたものである。そのため、支持部材１４は、第１実施の形態におけるように、頭部当接部２０が湾曲形状を成しておらず、また、頭部装着状態における前方頭部当接部２１Ｆ及び後方頭部当接部２１Ｂの上下方向の長さがほぼ同じになっている。つまり、支持部材１４は、頭部装着状態において、耳の中心を通る線分に関して前後方向にほぼ線対称形状からなっている。なお、図１４（ａ）は支持部材１４を機器接続部４０側から見た図であり、図１４（ｂ）は支持部材１４を頭部当接部２０側から見た図であり、図１４（ｃ）は図１４（ａ）の上面図である。
【００６２】
この支持部材１４によると、使用者の右耳の前方側に頭部当接部２０の前方頭部当接部２１Ｆが位置し、後方頭部当接部２１Ｂが後方側に位置するように、図１５（ａ）に示すように使用者３００の頭部３１０に装着すれば、映像表示装置１１０を頭部３１０の右側に支持することができる。また、支持部材１４を、図１５（ａ）の状態から前後反転して、図１５（ｂ）に示すように頭部３１０に装着すれば、映像表示装置１１０を頭部３１０の左側に支持することができる。この場合、前方頭部当接部２１Ｆ及び後方頭部当接部２１Ｂの機能が反転することになる。したがって、使用者３００は、支持部材１４を頭部３１０の右側又は左側に任意に選択して装着することができるので、使い勝手が向上する。なお、このような構成は、第３〜５実施の形態にも適用することが可能である。
【００６３】
（第７実施の形態）
図１６は、本発明の第７実施の形態に係る支持部材を示すものである。この支持部材１５は、第６実施の形態に示した支持部材１４と同様に左右兼用としたものであるが、本実施の形態では支持部材１５の前後を反転することなく左右兼用としたものである。そのため、支持部材１５は、第１実施の形態におけるように、頭部当接部２０が湾曲形状を成しておらず、また、頭部当接部２０及びテンプル当接部３０の両側に機器接続部４０が設けられている。なお、図１６（ａ）は支持部材１５を頭部装着状態の上面側から見た図であり、図１６（ｂ）はテンプル当接部３０側から見た図であり、図１６（ｃ）は後方側から見た図である。
【００６４】
この支持部材１５によると、使用者の右耳の前方側に頭部当接部２０の前方頭部当接部２１Ｆが位置し、後方頭部当接部２１Ｂが後方側に位置するように、図１７（ａ）に示すように使用者３００の頭部３１０に装着すれば、映像表示装置１１０を頭部３１０の右側にテンプル部２１０Ｒと協働して支持することができる。また、支持部材１５を、図１７（ａ）の状態から前後反転することなく、図１７（ｂ）に示すように頭部３１０に装着すれば、映像表示装置１１０を頭部３１０の左側にテンプル部２１０Ｌと協働して支持することができる。この場合、頭部当接部２０及びテンプル当接部３０の機能が反転することになる。また、映像表示装置１１０が接続されない内側に位置する機器接続部４０は、頭部当接部として機能することになる。
【００６５】
このように、本実施の形態に係る支持部材１５によると、その前後を反転することなく、頭部３１０の右側又は左側に任意に選択して装着することができるので、より使い勝手が向上する。なお、このような構成は、第３〜５実施の形態にも適用することが可能である。
【００６６】
なお、本発明は、上記実施の形態にのみ限定されるものではなく、幾多の変形または変更が可能である。例えば、ウェアラブル機器は、映像表示装置１１０に限らず、撮像装置等の他のウェアラブル機器であってもよい。また、頭部当接部２０の前方頭部当接部２１Ｆや後方頭部当接部２１Ｂは、適宜、省略することも可能である。
【符号の説明】
【００６７】
１０，１１，１２，１３，１４，１５  支持部材
２０  頭部当接部
２１Ｕ  上方頭部当接部
２１Ｆ  前方頭部当接部
２１Ｂ  後方頭部当接部
２２Ｂ  可撓性ワイヤ部材
３０  テンプル当接部
３１  第１当接面
３２  第２当接面
４０  機器接続部
４１  スライド接続部
４２  給電部
５０  バッテリ収容部
１００，１０１，１０２  ウェアラブル装置
１１０  映像表示装置
１２０  本体部
１２１  スライド係合部
１２２  給電部
１３０  表示光学系部
１４０  連結部
２００  眼鏡フレーム
２１０Ｒ，２１０Ｌ  テンプル部
３００  使用者
３１０  頭部
３２０Ｒ  耳
【図１】
0005363555.tif 000002
【図２】
0005363555.tif 000003
【図３】
0005363555.tif 000004
【図４】
0005363555.tif 000005
【図５】
0005363555.tif 000006
【図６】
0005363555.tif 000007
【図７】
0005363555.tif 000008
【図８】
0005363555.tif 000009
【図９】
0005363555.tif 000010
【図１０】
0005363555.tif 000011
【図１１】
0005363555.tif 000012
【図１２】
0005363555.tif 000013
【図１３】
0005363555.tif 000014
【図１４】
0005363555.tif 000015
【図１５】
0005363555.tif 000016
【図１６】
0005363555.tif 000017
【図１７】
0005363555.tif 000018